(57)【要約】【課題】工具を収納する工具収納器において、工具を収納して施工現場に持ち運ぶ際に、工具収納器のみで潤滑油も同時に持ち運びすることができ、もって工具の持ち運び上の利便性を高める。【解決手段】工具収納器１０を構成する壁構造は外装壁３１と内部壁３５とからなる二重構造を有して形成される。この工具収納器１０を構成する壁構造は、プラスチック樹脂のブロー成形により形成されている。この外装壁３１と内部壁３５との間には、潤滑油Ｌを収容する収容領域Ｔ１が形成されている。これによって、充電式チェーンソーを工具収納部１１に収納することができながら、これら外装壁３１と内部壁３５との間に形成される収容領域Ｔ１に潤滑油Ｌを収容することができる。【選択図】図２
2011143487.tif 000002
【特許請求の範囲】
【請求項１】
持ち運び等の際に工具を収納する工具収納器であって、
前記工具収納器を構成する壁構造は、少なくとも外装壁と内部壁とからなる二重構造を有して形成され、
該外装壁と該内部壁との間には、潤滑剤を収容する収容領域が形成されていることを特徴とする工具収納器。
【請求項２】
請求項１に記載の工具収納器において、
前記工具収納器を構成する壁構造は、樹脂のブロー成形により形成されていることを特徴とする工具収納器。
【請求項３】
請求項２に記載の工具収納器において、
前記工具収納器は、工具を収納する収納器本体と、工具を収納した状態で該収納器本体に対する蓋部とを備え、箱状に形成されていることを特徴とする工具収納器。
【請求項４】
請求項２に記載の工具収納器において、
前記工具収納器は、取出し口が外部に開口しているトレイ状に形成されていることを特徴とする工具収納器。
【請求項５】
請求項１から請求項４の何れかに記載の工具収納器において、
前記工具収納器を構成する壁構造には、前記収容領域に対して内外に潤滑剤を出入可能とする口部が設けられており、
前記口部は、潤滑剤を出入する際に用いる専用具を装着可能とする形状を有して形成されていることを特徴とする工具収納器。
【発明の詳細な説明】
【技術分野】
【０００１】
本発明は、持ち運び等の際に工具を収納する工具収納器に関する。
【背景技術】
【０００２】
従来、例えばチェーンソー等の工具を持ち運びするには、専用の工具収納ケースに工具を収納して持ち運ぶようにされている。このような工具収納ケースは、持ち運び時の軽量化を図るため、プラスチック樹脂をブロー成形することにより形成されている（例えば、特許文献１参照）。
【先行技術文献】
【特許文献】
【０００３】
【特許文献１】実開平５−９３７７６
【発明の概要】
【発明が解決しようとする課題】
【０００４】
一方、上記した工具収納ケースに収納される工具には、チェーンソーに代表されるように、工具のメンテナンスにおいて潤滑油の注油を欠かさずに行うべき工具がある。このような工具は、注油のための潤滑油を常備しておく必要がある。このため、このような工具を持ち運ぶ際には、注油用の潤滑油も欠かさず持ち運ぶことが必要とされている。
他方、上記した工具を持ち運ぶにあたっては、工具を収納した工具収納ケースのほか、潤滑油を入れるための容器も持ち運ぶ必要がある。そうすると、施工現場への持ち運び物としては、少なくとも二つ以上の物を持ち運ぶこととなり、持ち運び上、不便であるとの指摘があった。
【０００５】
本発明は、このような事情に鑑みなされたものであって、本発明が解決しようとする課題は、持ち運び等の際に工具を収納する工具収納器において、工具を収納して施工現場に持ち運ぶ際に、工具収納器のみで潤滑油も同時に持ち運びすることができ、もって工具の持ち運び上の利便性を高めることにある。
【課題を解決するための手段】
【０００６】
上記した課題を解決するにあたって、本発明に係る工具収納器は次の手段を採用する。
すなわち、本発明の第１の発明に係る工具収納器は、持ち運び等の際に工具を収納する工具収納器であって、前記工具収納器を構成する壁構造は、少なくとも外装壁と内部壁とからなる二重構造を有して形成され、該外装壁と該内部壁との間には、潤滑剤を収容する収容領域が形成されていることを特徴とする。
この第１の発明に係る工具収納器によれば、工具収納器を構成する壁構造は少なくとも外装壁と内部壁とからなる二重構造を有して形成され、外装壁と内部壁との間には潤滑剤を収容する収容領域が形成されているので、工具を収納することができながら、これら外装壁と内部壁との間に潤滑剤を収容することができる。これによって、工具を収納して施工現場に持ち運ぶ際に、工具収納器の外装の大きさを変えることなく、工具収納器のみで潤滑油も同時に持ち運びすることができ、もって工具の持ち運び上の利便性を高めることができる。
【０００７】
第２の発明に係る工具収納器は、前記第１の発明に係る工具収納器において、前記工具収納器を構成する壁構造は、樹脂のブロー成形により形成されていることを特徴とする。
この第２の発明に係る工具収納器によれば、工具収納器を構成する壁構造は、樹脂のブロー成形により形成されているので、外装壁と内部壁とを同時に一体成形することができながら、同時に上記した外装壁と内部壁との間に潤滑剤を収容する収容領域を形成することができる。これによって、外装壁と内部壁とを成形するにあたって、同時に収容領域を形成することができる。
【０００８】
第３の発明に係る工具収納器は、前記第２の発明に係る工具収納器において、前記工具収納器は、工具を収納する収納器本体と、工具を収納した状態で該収納器本体に対する蓋部とを備え、箱状に形成されていることを特徴とする。
この第３の発明に係る工具収納器によれば、工具収納器は、工具を収納する収納器本体と工具を収納した状態で収納器本体に対して蓋する蓋部とを備え、箱状に形成されているので、蓋部によって工具が全て隠れて収納されることとなる。これによって、収納した工具を外部に露出することがなくなり、外観をスッキリとした見栄えとすることができる上、安定して持ち運びすることができる。
【０００９】
第４の発明に係る工具収納器は、前記第２の発明に係る工具収納器において、前記工具収納器は、取出し口が外部に開口しているトレイ状に形成されていることを特徴とする。
この第４の発明に係る工具収納器によれば、工具収納器は、取出し口が外部に開口しているトレイ状に形成されているので、収納されている工具を外部に取り出し易くする上、工具が収納されているか否かを取出し口を通して外部から一目で確認することができる。
【００１０】
第５の発明に係る工具収納器は、前記第１から前記第４の何れかの発明に係る工具収納器において、前記工具収納器を構成する壁構造には、前記収容領域に対して内外に潤滑剤を出入可能とする口部が設けられており、前記口部は、潤滑剤を出入する際に用いる専用具を装着可能とする形状を有して形成されていることを特徴とする。
この第５の発明に係る工具収納器によれば、収容領域に対して内外に潤滑剤を出入可能とする口部は、潤滑剤を出入する際に用いる専用具を装着可能とする形状を有して形成されているので、工具収納器に対して潤滑剤を出入する際に、潤滑剤の出し入れに便利な専用具を簡単に装着することができる。これによって、工具収納器から潤滑剤を出したり工具収納器に潤滑剤を入れたりするにあたり、便利に潤滑剤を出したり入れたりすることができる。
【発明の効果】
【００１１】
第１の発明に係る工具収納器によれば、工具を収納して施工現場に持ち運ぶ際に、工具収納器の外装の大きさを変えることなく、工具収納器のみで潤滑油も同時に持ち運びすることができ、もって工具の持ち運び上の利便性を高めることができる。
第２の発明に係る工具収納器によれば、外装壁と内部壁とを成形するにあたって、同時に収容領域を形成することができる。
第３の発明に係る工具収納器によれば、外観をスッキリとした見栄えとすることができる上、安定して持ち運びすることができる。
第４の発明に係る工具収納器によれば、収納されている工具を外部に取り出し易くする上、工具が収納されているか否かを取出し口を通して外部から一目で確認することができる。
第５の発明に係る工具収納器によれば、より便利に潤滑剤を出したり入れたりすることができる。
【図面の簡単な説明】
【００１２】
【図１】第１の実施の形態の工具収納器の外観を示す外観斜視図である。
【図２】図１におけるＩＩ−ＩＩ断面矢視を示す工具収納器の断面図である。
【図３】第２の実施の形態の工具収納器の外観を示す外観斜視図である。
【図４】図３におけるＩＶ−ＩＶ断面矢視を示す工具収納器の断面図である。
【図５】図３の工具収納器を収容する手提げバッグを示す外観斜視図である。
【発明を実施するための形態】
【００１３】
［第１の実施の形態］
以下、本発明に係る工具収納器を実施するための形態について、図面を参照しながら説明する。まず、第１の実施の形態となる工具収納器１０について説明する。
図１は、第１の実施の形態の工具収納器１０の外観を示す外観斜視図である。図２は、図１におけるＩＩ−ＩＩ断面矢視を示す工具収納器１０の断面図である。
図１および図２に示す工具収納器１０は、工具としての充電式チェーンソーの持ち運び等の際に、この充電式チェーンソーを収納するためものである。この工具収納器１０は、充電式チェーンソー専用の収納ケースとして構成される。なお、図１および図２に示す工具収納器１０は、充電式チェーンソーを収納したり取り出したりする際に、収納や取出しを行い易いように安定位置にて置いてある状態を図示するものである。
この工具収納器１０は、概略、充電式チェーンソーを収納する収納器本体２０と、充電式チェーンソーを収納した状態で収納器本体２０に対して蓋する蓋部３０とを備える。ここで、工具収納器１０の置き方としては、収納器本体２０が地面側となる下側にして置いてあり、これに対し蓋部３０が収納器本体２０の上側に位置するようになっている。
これら収納器本体２０と蓋部３０とは、図２に示すように、対向配置される一側端縁同士がヒンジ部１３によりヒンジ結合されることにより、他側端縁同士が片開き可能となるように連結されている。つまり、収納器本体２０を地面側に置き、蓋部３０を上方に片開きさせ、上記した充電式チェーンソーを収納したり取り出したりすることができるようになっている。
なお、特に図示していないが、片開きする他側端縁側には、収納器本体２０に対する蓋部３０の閉じ状態を保持するように、閉じフック形状が形成されている。また、図１に示す符号１５は工具収納器１０を持ち運びする際の手握りされるグリップ部であり、図１および図２に示す符号１７は工具収納器１０を縦置きする際の脚部である。
このように収納器本体２０と蓋部３０とを具備する工具収納器１０は、図２に示すように、閉じ状態では内部に形成された工具収納部１１を閉塞状態とするように箱状をなすものとなっている。つまり、充電式チェーンソーを収納器本体２０の工具収納部１１に収納し蓋部３０を閉じると、充電式チェーンソーは収納された状態となる。このように収納された状態では、グリップ部１５を握って工具収納器１０を持ち運びすることができる。
【００１４】
次に、収納器本体２０および蓋部３０について詳細に説明する。
上記したように収納器本体２０と蓋部３０とは、互いにヒンジ結合されるものであるが、それぞれは単体ごとに成形されることにより形成される。具体的には、収納器本体２０と蓋部３０とは、それぞれプラスチック樹脂を材料としてブロー成形することにより形成される。このブロー成形としては、広く利用されるブロー成形である。すなわち、熱可塑性のプラスチック樹脂を押出機で可塑化してチューブ状（パリソンと称される）に押し出し、このパリソンを冷却固化しないうちに金型にくわえこませる。この状態でパリソン内部に空気を吹き込んでパリソンを膨張させる。この際、パリソンは、金型の内壁に押さえつけられて冷却固化させられ、断面視図２に示すような壁構造を有した収納器本体２０と蓋部３０とに成形されることとなる。
このようにして成形された収納器本体２０と蓋部３０とは、ブロー成形特有の壁構造を有して形成されている。つまり、収納器本体２０および蓋部３０のそれぞれの壁構造は、外装壁２１，３１と内部壁２５，３５とによる二重構造をなして形成される。個別具体的には、収納器本体２０は、薄板状に延ばされ互いを一体化された外装壁２１と内部壁２５とを備えて構成される。ここで、これら外装壁２１と内部壁２５との間には、上記したブロー成形により空間が形成されている。また、蓋部３０も同様に、薄板状に延ばされ互いを一体化された外装壁３１と内部壁３５とを備えて構成される。ここで、これら外装壁３１と内部壁３５との間には、上記したブロー成形により空間が形成されている。このようにして収納器本体２０および蓋部３０の壁構造は、二重構造の強度を有することができながら、軽量化が図られている。
なお、上記した外装壁２１，３１および内部壁２５，３５は、機能上において特定するために二部材のように称したものである。つまり、外装壁２１，３１は、収納器本体２０に対して蓋部３０を閉じ状態とした場合に、外部に露出する部分を総じて称するものである。これに対して、内部壁２５，３５は、上記した工具収納部１１を形成する部分であり、収納器本体２０に対して蓋部３０を閉じ状態とした場合に閉塞状態となる部分を総じて称するものである。また、図示するように、収納する充電式チェーンソー（工具）の形状に対応して工具収納部１１が形成されるように、これらの内部壁２５，３５は適宜の凹凸状をなして形成されている。
【００１５】
このように形成された工具収納器１０のうち、蓋部３０の壁構造には、潤滑剤としての潤滑油Ｌを収容する収容領域Ｔ１が形成されている。この収容領域Ｔ１は、上記したように、蓋部３０の壁構造のうち、外装壁３１と内部壁３５との間に形成される空間を、潤滑油Ｌを収容する領域として設定したものである。なお、この潤滑油Ｌは、上記した充電式チェーンソーのメンテナンスにおいて常備されて注油されるものであり、具体的には広く利用される液体状の潤滑オイルである。
また、この収容領域Ｔ１を構成する外装壁３１には、収容領域Ｔ１に対して内外に潤滑油Ｌを出入可能とする口部３２が設けられている。この口部３２は、図１および図２に示すように、蓋部３０を構成する外装壁３１の角隅位置に設けられており、図示の安定位置に対して（水平方向に対して）４５度斜め上向きとなるように設定されている。また、この口部３２は、図２にも示すように、工具収納器１０の外装面１２から突出しないように、外装壁３１の外装面１２よりも一段内に入り込んで設けられている。これにより、口部３２に封キャップ４０を取り付けた場合であっても、封キャップ４０は外装壁３１の外装面１２から突き出さないものとなっている。
口部３２は、図１および図２にも示すように、外装壁３１の外装面１２から一段内に下げられた部分から突き出す筒状にて形成されている。この筒状に形成された口部３２の外周部分は、後に説明する潤滑油Ｌを出入する際に用いる専用具を装着可能とするように、雄螺子形状を有して形成されている。具体的には、この口部３２には、第２の実施の形態にて説明する専用具としてのノズルキャップ５０（図３および図４参照）を螺子止めすることができるように、ノズルキャップ５０に設けられた雌螺子形状に対応する雄螺子形状が形成されている。このノズルキャップ５０は、後において詳述するが、収容領域Ｔ１から潤滑油Ｌを出す際に用いるために利用されるものである。なお、図示される封キャップ４０には、このノズルキャップ５０と同様な雌螺子形状が形成されており、この口部３２を封するように口部３２に螺子止めすることができるようになっている。また、このように口部３２に封キャップ４０を取り付けた場合には、収容領域Ｔ１内を閉塞した状態にし、潤滑油Ｌは収容領域Ｔ１内に収容された状態となる。
【００１６】
上記したように構成された第１の実施の形態の工具収納器１０によれば、次のような作用効果を奏することができる。
すなわち、上記した工具収納器１０によれば、工具収納器１０を構成する壁構造は外装壁２１，３１と内部壁２５，３５とからなる二重構造を有して形成される。また、蓋部３０の外装壁３１と内部壁３５との間には、潤滑油Ｌを収容する収容領域Ｔ１が形成されている。これによって、充電式チェーンソーを工具収納部１１に収納することができながら、これら外装壁３１と内部壁３５との間に形成される収容領域Ｔ１に潤滑油Ｌを収容することができる。したがって、充電式チェーンソーを収納して施工現場に持ち運ぶ際に、工具収納器１０の外装の大きさを変えることなく、工具収納器１０のみで潤滑油Ｌも同時に持ち運びすることができ、もって工具の持ち運び上の利便性を高めることができる。
また、上記した工具収納器１０によれば、工具収納器１０を構成する壁構造は、プラスチック樹脂のブロー成形により形成されているので、蓋部３０の外装壁３１と内部壁３５とを同時に一体成形することができながら、同時に上記した外装壁３１と内部壁３５との間に潤滑油Ｌを収容する収容領域Ｔ１を形成することができる。これによって、外装壁３１と内部壁３５とを成形するにあたって、同時に収容領域Ｔ１を形成することができる。
また、上記した工具収納器１０によれば、工具収納器１０は、充電式チェーンソーを収納する収納器本体２０と充電式チェーンソーを収納した状態で収納器本体２０に対する蓋部３０とを備えて箱状に形成されている。これによって、蓋部３０によって充電式チェーンソーが全て隠れて収納されることとなる。したがって、収納した充電式チェーンソーを外部に露出することがなくなり、外観をスッキリとした見栄えとすることができる上、安定して持ち運びすることができる。
また、ここで、口部３２は、工具収納器１０の外装面１２から突出しないように、外装壁３１の外装面１２よりも一段内に入り込んで設けられているので、口部３２や口部３２に取り付けられた封キャップ４０は、外装壁３１の外周面から突き出さないように位置する。これによって、工具収納器１０を持ち運ぼうとする際には、口部３２や口部３２に取り付けられた封キャップ４０が外部物体に引っ掛かったりすることがなくなる上、この外装面１２を面接触させる場合でもガタつくこと無く外装面１２を面接触させることができる。
また、上記した工具収納器１０によれば、収容領域Ｔ１に対して内外に潤滑油Ｌを出入可能とする口部３２は、潤滑油Ｌを出す際に用いるノズル（ノズルキャップ５０）を装着可能とする形状を有して形成されているので、潤滑油Ｌを出す際にノズルを簡単に装着することができる。これによって、工具収納器１０から潤滑油Ｌを出すにあたり、潤滑油Ｌを出し易くして便利となる。
【００１７】
［第２の実施の形態］
次に、上記した第１の実施の形態の工具収納器１０とは異なる、本発明に係る工具収納器を実施するための第２の実施の形態の工具収納器１０Ａについて、図面を参照しながら説明する。
図３は、第２の実施の形態の工具収納器１０Ａの外観を示す外観斜視図である。図４は、図３におけるＩＶ−ＩＶ断面矢視を示す工具収納器１０Ａの断面図である。
この第２の実施の形態の工具収納器１０Ａは、図３および図４に示すように、工具としての充電式チェーンソーを収納するためものである。なお、この第２の実施の形態の工具収納器１０Ａは、上記した第１の実施の形態の工具収納器１０Ａとは異なり、上部が外部に露出したトレイ状に形成されている。つまり、上方から収納した充電式チェーンソーを取り出せるように、上部が取出し口として外部に開口したように形成されている。
具体的には、第２の実施の形態の工具収納器１０Ａは、図３や図４からも分かるように、上記した第１の実施の形態の工具収納器１０のうち、ヒンジ部１３により連結される蓋部３０を取り除いて収納器本体２０のみで構成されるようにした形態である。このため、この工具収納器１０Ａは、収納した充電式チェーンソーを上方に取り出せるように、図示上部が取出し口１５Ａとして外部に露出開口した形状を有して形成され、工具収納部１１Ａが外部に露出するようにされたトレイ状（盆状）となっている。なお、この工具収納器１０Ａは、図示のように、トレイ状となっているため、上記した第１の実施の形態におけるグリップ部１５は設けられていない。
【００１８】
この第２の実施の形態の工具収納器１０Ａも、上記したように収納器本体２０のように、プラスチック樹脂を材料としてブロー成形することにより形成される。すなわち、工具収納器１０Ａの壁構造は、図４にも示すように、外装壁２１Ａと内部壁２５Ａとによる二重構造をなして形成される。このため、このように形成された外装壁２１Ａと内部壁２５Ａとの間には、上記した第１の実施の形態と同様、ブロー成形により形成される空間が設けられている。この外装壁２１Ａと内部壁２５Ａとの間に形成される空間は、潤滑油Ｌを収容する収容領域Ｔ２として設定されている。
なお、ここでいう外装壁２１Ａとは、工具収納部１１Ａを形成する内部壁２５Ａに対して称するものであり、工具収納器１０Ａの壁構造のうち、器状の形成される収納器本体２０の外周部分の壁部を構成するものである。これに対して、内部壁２５Ａは、工具収納器１０Ａの壁構造のうち、器状の形成される収納器本体２０の内周部分の壁部を構成するものであり、充電式チェーンソーを収納する工具収納部１１Ａを形成するための壁部を構成する。
また、上記した収容領域Ｔ２を構成する外装壁２１Ａには、収容領域Ｔ２に対して内外に潤滑油Ｌを出入可能とする口部２２Ａが設けられている。この口部２２Ａは、図３および図４に示すように、工具収納器１０Ａの上部角隅の近くに設けられている。この口部２２Ａは、図３および図４に示すように、外装壁２１Ａから突き出す筒状にて形成されている。また、この口部２２Ａの外周部分にあっても、専用具としてのノズルキャップ５０を装着可能とするように、雄螺子形状を有して形成されている。
この口部２２Ａは、収容領域Ｔ２から潤滑油Ｌを出す際に用いるためのものであり、本発明に係る専用具に相当する。このノズルキャップ５０は、広く利用されるキャップ付きノズルであり、概略、取付け部５１と、ノズル部５２と、キャップ部５３とを備える。取付け部５１は、上記した口部２２Ａに螺子止めされることにより取り付けられる部分であり、口部２２Ａの雄螺子形状に対応した雌螺子形状を有して形成される。ノズル部５２は、ノズルとして機能する部分であり、先端の注口５２Ａにむけて先細りする形状を有して形成されている。キャップ部５３は、ノズル部５２の注口５２Ａを閉塞する蓋として機能する部分である。このキャップ部５３は、ストラップ部５４を介してノズル部５２に連結されている。このため、このキャップ部５３を注口５２Ａから取り外した場合であっても、ストラップ部５４によりノズル部５２から離れることなく、紛失しないようになっている。
図５は、上記した第２の実施の形態の工具収納器１０Ａを収容する手提げバッグ７０を示す外観斜視図である。すなわち、充電式チェーンソーを工具収納部１１Ａに収納した状態で工具収納器１０Ａを持ち運びする際には、例えば図５に示す手提げバッグ７０の中に入れられて持ち運びされる。
図５に示すように、手提げバッグ７０は、上方が開口された略有底袋状に形成されるものである。すなわち、手提げバッグ７０は、上記した工具収納器１０Ａを載置する底部７１と、底部７１を四方に配設される側部７２とを備え、上方が開口された形状を有する。また、この手提げバッグ７０は、持ち運びする際の手握り部分となる手提げ部７３が設けられている。
【００１９】
上記したように構成された第２の実施の形態の工具収納器１０Ａによれば、次のような作用効果を奏することができる。
すなわち、上記した第２の実施の形態の工具収納器１０Ａによれば、工具収納器１０Ａは、取出し口１５Ａとして外部に露出開口した形状を有して形成され、工具収納部１１Ａが外部に露出するようにされたトレイ状（盆状）となっているので、収納されている充電式チェーンソーを外部に取り出し易くする上、充電式チェーンソーが工具収納部１１Ａに収納されているか否かを取出し口１５Ａを通して外部から一目で確認することができる。
また、上記した第２の実施の形態の工具収納器１０Ａによれば、収容領域Ｔ２に対して内外に潤滑油Ｌを出入可能とする口部２２Ａは、潤滑油Ｌを出す際に用いるノズルキャップ５０を装着可能とする形状を有して形成されているので、潤滑油Ｌを出す際にノズルキャップ５０を簡単に装着することができる。これによって、工具収納器１０から潤滑油Ｌを出すにあたり、潤滑油Ｌを出し易くして便利となる。
また、上記した第２の実施の形態の工具収納器１０Ａによれば、手提げバッグ７０に工具収納器１０Ａを収容するようになっているので、工具収納部１１Ａに充電式チェーンソーを収納した状態で工具収納器１０Ａを持ち運びすることができる上、工具収納器１０Ａが汚れてしまった場合には工具収納器１０Ａを取り出して拭き掃除することができる。これによって、上記した第２の実施の形態の工具収納器１０Ａによれば、メンテナンス上、有利なものとなる。
【００２０】
なお、本発明に係る工具収納器にあっては、上記した実施の形態に限定されるものではなく、本発明の要旨を変更しない範囲で適宜に変更することができる。
例えば、上記した実施の形態における工具収納器１０，１０Ａにあっては、工具として充電式チェーンソーを収納するものを取り上げて説明するものであった。しかしながら、本発明に係る工具収納器としては、充電式チェーンソーを収納するものに限定されることなく、例えばエンジン駆動式のチェーンソーや、その他の適宜の工具を収納するように構成されるものであってよい。また、上記した収容領域Ｔ１，Ｔ２に収容される潤滑油Ｌは、必ずしも、この工具収納器１０，１０Ａに収納される工具のみに使用される潤滑油に限られず、適宜の電動工具にて使用される潤滑油であってもよい。
また、上記した実施の形態における工具収納器１０，１０Ａを構成する壁構造は、プラスチック樹脂のブロー成形により形成されるものであった。しかしながら、本発明に係る工具収納器を構成する壁構造としては、これに限定されることなく、例えば射出成形等のブロー成形とは異なる適宜の成形方法により形成されるものであってもよい。ただ、上記したブロー成形により形成されたものであると、製造コスト削減や軽量化等の観点から有利となる。
また、上記した実施の形態における工具収納器１０，１０Ａを構成する壁構造は、外装壁３１，２１Ａと内部壁３５，２５Ａとの二重構造により形成されるものであった。しかしながら、本発明に係る工具収納器を構成する壁構造としては、これに限定されることなく、さらに中間壁が設けられて３重構造や４重構造に形成されるものであってもよい。ただ、これらの外装壁と内部壁との間の一部には、潤滑剤を収容する収容領域が形成されることが必要となる。
また、上記した実施の形態における工具収納器１０，１０Ａにあっては、本発明における専用具として収容領域Ｔ１，Ｔ２から潤滑油を出すに際して便利なノズルキャップ５０を例示していた。しかしながら、本発明における専用具としては、上記したノズルキャップ５０のような形態に限定されることなく、潤滑剤を出入する際に用いるものであれば、適宜に構成されるものであってよい。つまり、本発明における専用具としては、適宜のポンプ構造有するノズル、適宜の伸縮蛇腹を有するノズル、潤滑剤を収容領域Ｔ１，Ｔ２内に入れる際に用いるロート等であってもよい。また、このような専用具が取り付けられる個所は、壁構造に対し口部が設けられた個所と一致することとなるが、この口部が設けられる個所としては、上記した実施の形態における個所に限定されることなく、壁構造に対し適宜に設定される個所であってよい。
【符号の説明】
【００２１】
１０，１０Ａ  工具収納器
１１，１１Ａ  工具収納部
１２  外装面
１３  ヒンジ部
１５  グリップ部
１５Ａ  取出し口
１７  脚部
２０  収納器本体
２１，３１，２１Ａ  外装壁
２５，３５，２５Ａ  内部壁
３０  蓋部
３２，２２Ａ  口部
４０  封キャップ
５０  ノズルキャップ
５１  取付け部
５２  ノズル部
５２Ａ  注口
５３  キャップ部
５４  ストラップ部
７０  手提げバッグ
７１  底部
７２  側部
７３  手提げ部
Ｔ１，Ｔ２  収容領域
Ｌ  潤滑油
【図１】
2011143487.tif 000003
【図２】
2011143487.tif 000004
【図３】
2011143487.tif 000005
【図４】
2011143487.tif 000006
【図５】
2011143487.tif 000007